(57)【要約】      （修正有）【課題】梅、栗、銀杏などの収穫、剪定作業、雨除け、又は日除けなどに便利な多目的シート及び多目的シート張設体を提供する。【解決手段】多目的シート１は、シート本体１０と、シート本体１０の中央部に設けられ、木の幹を囲繞する孔部１１と、孔部１１からシート本体の端１０ａに向かう、開閉自在のスリット部１５と、孔部１１の周囲に、スリット部１５を端部として着設された筒状の紐通し部２２と、紐通し部２２に挿通された紐部材２５と、を備える。さらに、スリット部１５を閉じ、且つ、紐通し部２２の端部から引出した紐部材２５の結束部２５ａ、２５ｂ同士を木の幹に縛りつけることによりシート本体１０を固定する。多目的シート張設体は、木の幹に囲繞固定した多目的シート１と、多目的シート１を周囲において張架支持する支柱と、を備え、多目的シート１の少なくとも４隅を支柱上部に張架して設置する。【選択図】図１
0003180058.tif 000002
【実用新案登録請求の範囲】
【請求項１】
木の幹に囲繞固定する多目的シートであって、
シート本体と、
前記シート本体の中央部に設けられ、前記木の幹を囲繞する孔部と、
該孔部からシート本体の端に向かう、開閉自在のスリット部と、
前記孔部の周囲に、前記スリット部を端部として着設された筒状の紐通し部と、
前記紐通し部に挿通された紐部材と、を備え、
前記スリット部を閉じ、且つ、該紐通し部の端部から引出した前記紐部材同士を前記木の幹に縛りつけることにより前記シート本体を固定することを特徴とする多目的シート。
【請求項２】
前記スリット部は、前記孔部の対向する位置に２箇所備えられている請求項１に記載の多目的シート。
【請求項３】
前記シート本体の素材が、網状シート、防水シート又は遮光性シートのうちのいずれかである請求項１又は２に記載の多目的シート。
【請求項４】
前記木は、松、栗、銀杏又は梅のうちのいずれかである請求項１乃至３のうちのいずれか１項に記載の多目的シート。
【請求項５】
木の幹に囲繞固定した請求項１乃至４のうちのいずれか１項に記載の多目的シートと、該多目的シートを周囲において張架支持する支柱と、を備え、
前記多目的シートの少なくとも４隅を前記支柱上部に張架して設置したことを特徴とする多目的シート張設体。
【請求項６】
前記支柱を牽引固定するための杭部材を更に備えた請求項５に記載の多目的シート張設体。
【考案の詳細な説明】
【技術分野】
【０００１】
本考案は、剪定作業、梅、栗、銀杏などの収穫、雨除け、又は日除けなどに用いる多目的シート及びこれを用いた多目的シート張設体に関する。
【背景技術】
【０００２】
従来、松などの剪定作業においては、切り落とした小枝などが落下し、地面に散乱することになる。特に落下した細かい葉が地面の土に混入したりすると、後から清掃作業をするのに大変な労力を要することになる。
ここで、剪定作業に便利な剪定シートが提案されている（例えば、特許文献１参照。）。この剪定シートは、複数の単位シートから構成され、その周縁部に他の単位シートと互いに接続可能な接続手段を備えている。
このように構成することにより、単位シート同士を任意に組み合わせて、所望の形状及び大きさを備えた一枚の剪定シートになるので、作業現場に応じた形状及び、大きさの剪定シートを作成することが可能となる。
【先行技術文献】
【特許文献】
【０００３】
【特許文献１】実登３１０２１６３号公報
【考案の概要】
【考案が解決しようとする課題】
【０００４】
しかし、特許文献１の剪定シートは、単位シートが矩形状であり、木の周囲に接続して設置しても、木の幹の周囲には隙間が生じやすくなる。また、このシートは剪定のみを目的としたものであり、他の目的の使用は想定されていない。
シートは、木の幹に設置することにより、剪定のみでなく、他の目的にも使用できれば便利である。
梅、栗、銀杏などの木の実は、自然に地面上に落下したり、或いは強制的に木を揺り動かすことによって落下させて収穫する場合、損傷したり、時間がたてば腐敗することにもなる。
更に、山では、雨宿りをしたり、日陰で休憩するための場所がない場合が多い。シートを、雨除け、日除けなどの目的にも使用できれば便利である。
本考案は、剪定作業、梅、栗、銀杏などの収穫、雨除け、又は日除けなどに用いられ、簡易な方法で確実に設置できる多目的シート及びこれを用いた多目的シート張設体を提供することを目的としている。
【課題を解決するための手段】
【０００５】
本考案は、以下の通りである。
請求項１に記載の考案は、木の幹に囲繞固定する多目的シートであって、シート本体と、前記シート本体の中央部に設けられ、前記木の幹を囲繞する孔部と、該孔部からシート本体の端に向かう、開閉自在のスリット部と、前記孔部の周囲に、前記スリット部を端部として着設された筒状の紐通し部と、前記紐通し部に挿通された紐部材と、を備え、前記スリット部を閉じ、且つ、該紐通し部の端部から引出した前記紐部材同士を前記木の幹に縛りつけることにより前記シート本体を固定することを特徴とする多目的シートである。
【０００６】
請求項２に記載の考案は、請求項１に記載の多目的シートにおいて、前記スリット部が、前記孔部の対向する位置に２箇所備えられていることである。
【０００７】
請求項３に記載の考案は、請求項１又は２に記載の多目的シートにおいて、前記シート本体の素材が、網状シート、防水シート又は遮光性シートのうちのいずれかであることである。
【０００８】
請求項４に記載の考案は、請求項１乃至３のうちのいずれか１項に記載の多目的シートにおいて、前記木が、松、栗、銀杏又は梅のうちのいずれかであることである。
【０００９】
請求項５に記載の考案は、木の幹に囲繞固定した請求項１乃至４のうちのいずれか１項に記載の多目的シートと、該多目的シートを周囲において張架支持する支柱と、を備え、前記多目的シートの少なくとも４隅を前記支柱上部に張架して設置したことを特徴とする多目的シート張設体である。
【００１０】
請求項６に記載の考案は、請求項５に記載の多目的シート張設体において、前記支柱を牽引固定するための杭部材を更に備えていることである。
【考案の効果】
【００１１】
請求項１に記載の多目的シート（「シート」ともいう。）の考案によれば、シート本体の中央部に設けられ、木の幹を囲繞する孔部を備えているため、木の幹の周囲に沿って隙間なく設置できる。また、孔部からシート本体の端に向かう、開閉自在のスリット部を備えているため、木の幹に対して着脱が容易である。
更に、孔部の周囲に、スリット部を端部として着設された筒状の紐通し部と、紐通し部に挿通された紐部材と、を備え、前記スリット部を閉じ、且つ、紐通し部の端部から引出した紐部材同士を前記木の幹に縛りつけることによりシート本体を固定するため、簡易な方法で確実に固定することができる。
【００１２】
請求項２に記載の多目的シートの考案によれば、請求項１に記載の考案の効果に加え、更に、スリット部が、孔部の対向する位置に２箇所備えられているため、シートが２分割され、１枚のシートのままでは設置が困難な場合であっても、分割された１枚づつ設置することができるため、便利である。
【００１３】
請求項３に記載の多目的シートの考案によれば、請求項１又は２に記載の考案の効果に加え、更に、シート本体の素材が、網状シート、防水シート又は遮光性シートのうちのいずれかであるため、目的に応じてシートの素材を選択することができる。
【００１４】
請求項４に記載の多目的シートの考案は、請求項１乃至３のうちのいずれか１項に記載の考案の効果に加え、木が、松、栗、銀杏又は梅のうちのいずれかである場合には、特に本考案の目的に適ったものとなる。
【００１５】
請求項５に記載の多目的シート張設体の考案は、木の幹に囲繞固定した請求項１乃至４のうちのいずれか１項に記載の多目的シートと、多目的シートを周囲において張架支持する支柱と、を備え、多目的シートの少なくとも４隅を支柱上部に張架して設置しているため、栗、銀杏又は梅などの木の実を、シート上に損傷することなく、収穫することができる。
また、雨除け、日除けなどの目的にも使用することができる。
【００１６】
請求項６に記載の多目的シート張設体の考案は、請求項５に記載の多目的シート張設体において、支柱を牽引固定するための杭部材を更に備えているため、シートを確実に張架して、設置することができる。
【図面の簡単な説明】
【００１７】
【図１】本考案に係る多目的シートの第１実施形態を示す平面図である。
【図２】本考案に係る多目的シートの第２実施形態を示す平面図である。
【図３】第１実施形態の孔部付近を示す部分拡大図である。
【図４】本考案に係る多目的シートを松の剪定作業に使用する例を示す説明図である。
【図５】本考案に係る多目的シート張設体を栗の実の収穫に使用する例を示す説明図である。
【図６】本考案に係る多目的シート張設体を雨除け、日除けなどに使用する例を示す説明図である。
【考案を実施するための形態】
【００１８】
以下本考案を図１〜６を参照しながら詳細に説明する。なお、本考案は、かかる図に記載された具体例に示すものに限られず、目的、用途に応じて種々変更したものとすることができる。
【００１９】
[１]多目的シート
実施形態１に係る多目的シート１は、本考案を具体化している。多目的シート１は、図１に示すように、シート本体１０と、シート本体１０の中央部に設けられ、木の幹を囲繞する孔部１１と、孔部１１からシート本体の端１０ａに向かう、開閉自在のスリット部１５と、孔部１１の周囲に、スリット部１５を端部として着設された筒状の紐通し部２２と、紐通し部２２に挿通された紐部材２５と、を備え、スリット部１５を閉じ、且つ、紐通し部２２の端部から引出した紐部材２５の結束部２５ａ、２５ｂ同士を木の幹に縛りつけることによりシート本体１０を固定することを特徴とする。
【００２０】
シート本体１０は、平面状の軟質なシートであり、用途により素材を選択することができる。例えば、松の剪定の場合には、防水性の素材（ブルーシート）を使用するのが好ましく、梅、栗、銀杏などの収穫には、網目状の素材を使用するのが好ましい。
シート本体の形状は、特に限定されず、円形、多角形等とすることができるが、図１に示すように矩形状であることが好ましい。大きさも特に限定はされず、例えば、３６０ｃｍ×３６０ｃｍ、５４０ｃｍ×５４０ｃｍ、７２０ｃｍ×７２０ｃｍ等とすることができる。
【００２１】
孔部１１は、図１に示すように、シート本体１０の中央部に設けられ、図４〜図６に示すように、木の幹９１、９５を囲繞する。孔部の大きさは、木の幹を囲繞できれば特に限定はないが、直径２５〜３５ｃｍとすることができる。通常３０ｃｍである。
【００２２】
スリット部１５は、孔部１１からシート本体の端１０ａに向かう隙間であり、開閉自在である。開閉するための部材として、ファスナー、釦、面ファスナー等を取り付けることができるが、図３に示すように、面ファスナー３０（３０ａ、３０ｂ）で開閉することが簡便である。
【００２３】
紐通し部２２は、孔部１１の周囲に、スリット部１５を端部として着設されている。紐通し部２２は、筒状に形成されており、その内部に、紐部材２５が挿通されている。
紐部材２５は、紐通し部２２の端部から引き出され、紐部材２５の結束部２５ａ、２５ｂ同士を木の幹に縛りつけることによりシート本体１０を固定する。
【００２４】
多目的シート１は、図１に示すように、更に、シートの端部にロープ係止用の係止部材４０、４１を備えることができる。特に、シートの４隅に備えた隅用の係止部材４０は、シート本体１０を持ち上げて四方に張設するのに必要なものとなる。係止部材４０、４１は、シート１０本体からの突出部が環状となってロープを通すことができることが好ましい。
【００２５】
（使用方法）
松の剪定作業に、多目的シート１を使用した例を以下説明する。図４に示すように、多目的シート１を用意し、スリット部１５を開いて、松の木の幹９１の根元にシート本体１０の孔部１１によって囲繞して、敷き詰める。
次いで、スリット部１５を面ファスナーで閉じる。更に、紐通し部２２の端部から引出した紐部材２５同士を木の幹に縛りつけることによりシート本体１０を松の木の幹９１に固定する。
そして、剪定作業を行うと、シート本体１０の上に切り取った小枝９０ａが落下する。シート本体１０の周囲を持ち上げて中央に落下した小枝９０ａを集めることで容易に後片付けを行うことができる。
【００２６】
実施形態２に係る多目的シート２も、本考案を具体化している。
多目的シート２は、図２に示すように、多目的シート１において、孔部１１に対して、スリット部１５と対向する位置に、更に、孔部１１からシート本体２０の端１０ｂに向かうスリット部１６を備えている。そのため、シート本体２０が、第１シート２０ａと第２シート２０ｂに分割される。
スリット部１６も、スリット部１５と同様、開閉するための部材として、面ファスナー３１を用いることが簡便である。
【００２７】
紐通し部２４には、紐部材２６が挿通され、その結束部２６ａ、２６ｂが引き出される。また、紐通し部２３には、紐部材２７が挿通され、その結束部２７ａ、２７ｂが引き出される。
そして、結束部２６ａと２７ａ、結束部２６ｂと２７ｂをそれぞれ、結束することにより、木の幹に縛りつける。
その他の構成、作用効果及び使用方法については、多目的シート１と同様であるため、その説明を省略する。
【００２８】
[２]多目的シート張設体
実施形態３に係る多目的シート張設体５は、例えば、図５に示すように、木の幹９５に囲繞固定した多目的シート３と、多目的シート３を周囲において張架支持する支柱７０と、を備え、多目的シート３の少なくとも４隅を支柱上部に張架して設置したことを特徴とする。
【００２９】
図５に示す多目的シート張設体５は、栗の実の収穫に用いた例である。
すなわち、栗の木の幹９５に網状素材のシート本体５０を備える多目的シート３を、その４隅に備えた係止部材６０に係止用紐７１によって支柱７０の上部に係止固定する。
更に、支柱７０をロープ部材８１によって牽引して杭部材８１に係止固定している。こうすることで、支柱７０を支え、多目的シート３を、確実に張設することができる。
多目的シート３の木の幹９５への囲繞固定する方法については前述の通りであるため、その説明を省略する。
なお、栗、銀杏、梅等の木の実を収穫するに際しては、雨水がシート本体に溜るのを防ぐために、網状のシート素材であることが好ましい。
【００３０】
図６に示す多目的シート張設体６は、雨除け又は日除けに用いた例である。
すなわち、木の幹９５に防水素材、又は遮光性素材のシート本体１０を備える多目的シート１を、その４隅に備えた支柱７０の上部に係止用紐７１によって係止固定する。
このように構成することで、木の下で雨宿りをしたり、日陰での休憩に利用することができる。
多目的シート３の木の幹９５への囲繞固定する方法については前述の通りであるため、その説明を省略する。
【符号の説明】
【００３１】
１、２、３；多目的シート、１０、２０；シート本体、１０ａ、１０ｂ；シート本体の端、１１；孔部、１５、１６；スリット部、２２；紐通し部、２５、２６、２７；紐部材、７０、７５；支柱、８０；杭部材、９１、９５；木の幹
【図１】
0003180058.tif 000003
【図２】
0003180058.tif 000004
【図３】
0003180058.tif 000005
【図４】
0003180058.tif 000006
【図５】
0003180058.tif 000007
【図６】
0003180058.tif 000008